【手続補正書】
【提出日】平成19年7月26日(2007.7.26)
【手続補正１】
【補正対象書類名】特許請求の範囲
【補正対象項目名】全文
【補正方法】変更
【補正の内容】
【特許請求の範囲】
【請求項１】
可変容量ポンプを制御する高安定流量制御システムであって、
ポンプ吐出量を計量するため前記可変容量ポンプと流体連通する計量弁と、
前記計量弁前後の差圧を保持する調節弁装置と、
前記可変容量ポンプの吐出を設定するため前記可変容量ポンプに接続されるアクチュエータとを備え、
前記調節弁装置は第１圧力を保つバイパス流として前記可変容量ポンプのポンプ吐出の一部を受け入れ、前記調節弁装置からの弁出力はその第１圧力と低基準圧力の平均に概ね等しい一時的圧力を保っており、
前記アクチュエータが前記アクチュエータの設定値を決定するため弁出力、よってポンプ吐出を受け入れる高安定流量制御システム。
【請求項２】
前記アクチュエータ内の第２圧力が前記一時的圧力に対向する圧力を及ぼす請求項１記載の燃料計量ユニット。
【請求項３】
前記第２圧力が定常状態で運転中、一時的圧力に概ね等しい請求項１記載の燃料計量ユニット。
【請求項４】
さらに、堆積物を取り除くため前記可変容量ポンプの吐出側と流体連通するフィルタを備える請求項１記載の燃料計量ユニット。
【請求項５】
さらに、前記調節弁装置の応答を緩やかにするため前記計量弁の計量出力側と前記調節弁との間に接続される第１ラインを備える請求項１記載の燃料計量ユニット。
【請求項６】
前記第１ラインが静的ラインである請求項５記載の燃料計量ユニット。
【請求項７】
さらに、前記第１ラインにオリフィスを備える請求項５記載の燃料計量ユニット。
【請求項８】
さらに、前記カム・アクチュエータに一時的圧力を与えるため前記調節弁装置と前記カム・アクチュエータとの間に接続される第２ラインを備える請求項５記載の燃料計量ユニット。
【請求項９】
前記アクチュエータが前記可変容量ポンプの可動カム・リングに接続されるピストンを備える請求項１記載の燃料計量ユニット。
【請求項１０】
可変容量ポンプが低基準圧力を保つ燃料を受け入れ、高圧の吐出を発生する可変容量ポンプを制御する燃料計量ユニットであって、
前記可変容量ポンプの吐出量を計量するため前記可変容量ポンプと流体連通する第１手段と、
第３手段前後の一定した差圧を保持するため前記第１手段と流体連通し、前記高圧と前記低基準圧力の平均に概ね等しい一時的圧力を発生する第２手段と、
前記可変容量ポンプの吐出量を制御するため前記可変容量ポンプに動作可能に接続される第３手段と、
対向する圧力を前記第３手段に与えるため前記可変容量ポンプの吐出側と前記第３手段との間に接続される燃料ラインとを備え、
前記第３手段の設定値が一時的圧力と対向する圧力との差圧に基づいている燃料計量ユニット。
【請求項１１】
前記燃料ラインが定常状態で運転する間、一時的圧力と対向する圧力とが等しくなるように低基準圧力に接続される請求項１０記載の燃料計量ユニット。
【請求項１２】
前記第１手段が計量弁である請求項１０記載の燃料計量ユニット。
【請求項１３】
前記第２手段が調節弁である請求項１０記載の燃料計量ユニット。
【請求項１４】
前記第３手段がカム・アクチュエータである請求項１０記載の燃料計量ユニット。
【請求項１５】
さらに、堆積物を取り除くため前記可変容量ポンプの吐出側と流体連通するフィルタを備える請求項１０記載の燃料計量ユニット。
【請求項１６】
さらに、前記第３手段の応答を緩やかにするため前記第１手段の計量出力側と前記第３手段との間に接続される第１手段を備える請求項１０記載の燃料計量ユニット。
【請求項１７】
前記第１手段が静的ラインである請求項１５記載の燃料計量ユニット。
【請求項１８】
さらに、前記第１手段にオリフィスを備える請求項１５記載の燃料計量ユニット。
【請求項１９】
さらに、前記第２手段の応答を緩やかにするため前記第３手段と前記第２手段との間に接続される第２ラインを備える請求項１０記載の燃料計量ユニット。
【請求項２０】
エンジンに燃料を供給する可変容量ポンプを計量する方法であって、低基準圧力を保つ燃料を前記可変容量ポンプ内に受け入れる過程と、
前記可変容量ポンプの吐出が高圧になるように前記可変容量ポンプで前記燃料を昇圧する過程と、
計量弁で前記可変容量ポンプの吐出量を計量する過程と、
前記エンジンが追加燃料を必要とするとき、素早く応答するため前記可変容量ポンプの吐出から流出戻り流量を生成する過程と、
調節弁を用いて計量弁前後の差圧を調節する過程と、
前記吐出量を調節するため前記可変容量ポンプのカム・リングに接続されるカム・アクチュエータを用いて前記可変容量ポンプの吐出量を調節する過程とを含み、
前記調節弁は前記調節弁が前記流出戻り流量と前記低基準圧力の平均にほぼ等しい一時的圧力を発生するために前記流出戻り流量と流体連通しており、
前記カム・アクチュエータが前記カム・アクチュエータの設定値を決定するため一時的圧力を受け入れている方法。
【請求項２１】
さらに、前記一時的圧力に対向する第２圧力を前記カム・アクチュエータに与える過程を含む請求項２０記載の方法。
【請求項２２】
さらに、前記計量弁の計量出力を前記調節弁に導くことにより前記調節弁の応答を緩やかにする過程を含む請求項２０記載の方法。
【手続補正２】
【補正対象書類名】明細書
【補正対象項目名】０００１
【補正方法】変更
【補正の内容】
【０００１】
（発明の分野）
本発明は、一般に、流体流量を調節するシステムに係り、特に、バイパス流を利用することにより可変容量ポンプからガスタービンへの液体燃料流量を調節するシステムに関する。
【手続補正３】
【補正対象書類名】明細書
【補正対象項目名】０００３
【補正方法】変更
【補正の内容】
【０００３】
（発明の要旨）
一実施例において、本発明はポンプ吐出量を計量するため可変容量ポンプと流体連通する計量弁を備える、可変容量ポンプを制御する流量制御システムに関する。計量弁前後の差圧を保持する調節弁は第１圧力を保つバイパス流として可変容量ポンプの吐出の一部を受け入れる。ここで、調節弁の出力は一時的圧力であり、この一時的圧力は第１圧力の平均に概ね等しい、低基準圧力である。アクチェエータは可変容量ポンプのカム・リングに接続されるピストンに動作を及ぼすことで可変容量ポンプの吐出を設定する。このアクチュエータの設定値は一時的圧力と第１圧力を保つ可変容量ポンプの吐出の第２部分との差圧で決定される。
本発明の目的は全ての運転条件で受け入れ可能な安定性を保持しながら、燃料計量ユニットの応答性を増すことにある。
本発明の他の目的は可変容量ポンプのための油圧機械式燃料計量ユニットを提供することにある。さらに、他の目的は動的流量条件に素早く、かつ正確に応答する燃料計量ユニットを提供することにある。
他の実施例において、本発明はエンジンに燃料を供給する可変容量ポンプを計量する方法に関する。この方法は低基準圧力を保つ燃料を可変容量ポンプ内に受け入れる過程と、可変容量ポンプの吐出が高圧になるように可変容量ポンプで燃料を昇圧する過程と、計量弁で可変容量ポンプの吐出量を計量する過程と、エンジンが追加燃料を必要とするとき、素早く応答するため可変容量ポンプの吐出から流出戻り流量を生成する過程と、調整弁を用いて計量弁を前後の差圧を調節する過程とを含む。調節弁は流出戻り流量と低基準圧力の平均にほぼ等しい一時的圧力を発生するために流出戻り流量と流体連通している。この方法はまた吐出量を調節する可変容量ポンプのカム・リングに接続されるカム・アクチュエータを用いて可変容量ポンプの吐出量を調節する過程を含む。ここで、カム・アクチュエータはカム・アクチュエータの設定値を決定するために一時的圧力を受け入れる。